【手続補正書】
【提出日】平成18年8月9日(2006.8.9)
【手続補正１】
【補正対象書類名】明細書
【補正対象項目名】発明の名称
【補正方法】変更
【補正の内容】
【発明の名称】情報記録方法、情報記録装置、情報処理装置及び光ディスク媒体
【手続補正２】
【補正対象書類名】明細書
【補正対象項目名】特許請求の範囲
【補正方法】変更
【補正の内容】
【特許請求の範囲】
【請求項１】
先頭加熱部と後続加熱部とを含む記録パルス発光波形のレーザ光により情報が記録される記録層を有する光ディスク媒体上に記録を行う際に、記録線密度が略一定となるように記録線速度の変化に応じて記録クロック周期Ｔを変化させて記録を行うとともに、前記先頭加熱部のパルス幅と記録パワーとを共に変化させるように、所望の記録線速度に応じて前記先頭加熱部のパルス形状を所定の間隔で更新することを特徴とする情報記録方法。
【請求項２】
先頭加熱部と後続加熱部とを含む記録パルス発光波形のレーザ光により情報が記録される記録層を有する光ディスク媒体上に記録を行う際に、記録線密度が略一定となるように記録線速度の変化に応じて記録クロック周期Ｔを変化させて記録を行うとともに、前記先頭加熱部のパルス幅の記録クロック周期Ｔに対する比Ｔtop と、前記先頭加熱部の記録パワーＰtop と前記後続加熱部の記録パワーＰrear との比ε＝Ｐtop ／Ｐrearとを共に変化させるように、所望の記録線速度に応じて前記先頭加熱部の前エッジ位置と記録パワー及び前記後続加熱部の記録パワーの各設定値を所定の間隔で更新することを特徴とする情報記録方法。
【請求項３】
先頭加熱部と後続加熱部とを含む記録パルス列による発光波形のレーザ光により情報が記録される記録層を有する光ディスク媒体上に記録を行う際に、記録線密度が略一定となるように記録線速度の変化に応じて記録クロック周期Ｔを変化させて記録を行うとともに、前記記録パルス列における先頭加熱部の前エッジ位置と、最後尾加熱部の後エッジ位置と、先頭および最後尾の加熱部分と中間加熱部の記録パワーを共に所望の記録線速度に応じて各々略一定の割合で変化させるように、前記加熱部の各々のパルス幅と記録パワーとの各設定値を所定の間隔で更新することを特徴とする情報記録方法。
【請求項４】
先頭加熱部と後続加熱部とを含む記録パルス列による発光波形のレーザ光により情報が記録される記録層を有する光ディスク媒体上に記録を行う際に、記録線密度が略一定となるように記録線速度の変化に応じて記録クロック周期Ｔを変化させて記録を行うとともに、記録線速度の増加に応じて、前記先頭加熱部のパルス幅の記録クロック周期Ｔに対する比Ｔtopと、前記最後尾加熱部のパルス幅の記録クロック周期Ｔに対する比Ｔendと、前記加熱部分の記録パワーＰｗとの全ての設定値を所定の間隔で増加するように更新することを特徴とする情報記録方法。
【請求項５】
請求項１乃至４の何れか１つに記載の情報記録方法において、光ディスク媒体から再生される記録情報の最長データと最短データとのアシンメトリの差が、前記記録パルスの何れかの設定値を更新させる前後で１０％以内となるように、前記設定値の各々の変化量又は更新間隔を設定することを特徴とする情報記録方法。
【請求項６】
請求項１乃至４の何れか１つに記載の情報記録方法において、前記光ディスク媒体上にプリフォーマットされた前記記録パルスの設定値の複数の記録線速度毎の最適設定値に基づいて、前記所定の間隔で更新させる記録パルスの設定値の変化量又は勾配を算出することを特徴とする情報記録方法。
【請求項７】
請求項１乃至４の何れか１つに記載の情報記録方法において、より以前に所定の領域に記録されたディスク情報に含まれる前記記録パルスの設定値の複数の記録線速度毎の最適設定値に基づいて、前記所定の間隔で更新させる記録パルスの設定値の変化量又は勾配を算出することを特徴とする情報記録方法。
【請求項８】
請求項１乃至４の何れか１つに記載の情報記録方法において、情報記録装置に予め格納した前記記録パルスの設定値の複数の記録線速度毎の最適設定値に基づいて、前記所定の間隔で更新させる記録パルスの設定値の変化量又は勾配を算出することを特徴とする情報記録方法。
【請求項９】
請求項１乃至８の何れか１つに記載の情報記録方法において、前記光ディスク媒体上にプリフォーマットされたアドレス情報を検出し、前記所定の間隔で更新させる変化量又は勾配から前記アドレス情報に対応する前記記録パルスの設定値を算出し、前記所定の間隔と前記アドレス情報の範囲とを対応付けるようにして、前記アドレス情報に応じた前記記録パルスの設定値を算出することを特徴とする情報記録方法。
【請求項１０】
先頭加熱部と後続の中間加熱部と最後尾加熱部とからなる記録パルス発光波形のレーザ光により情報が記録される記録層を有する光ディスク媒体上に記録を行う際に、記録線密度が略一定となるように記録線速度の変化に応じて記録クロック周期Ｔを変化させて記録を行う情報記録装置であって、
前記先頭加熱部のパルス幅と前記最後尾加熱部のパルス幅と前記加熱部のそれぞれの記録パワーとを共に変化させるように、所望の記録線速度に応じて前記先頭加熱部の前エッジ位置と前記最後尾加熱部の後エッジ位置と前記記録パワーの設定値を所定の間隔で随時更新するとともに、検出された前記光ディスク媒体のアドレス情報に対応した前記先頭加熱部および前記最後尾加熱部のパルス幅と記録パワーとを算出するコントローラと、
検出されたアドレス情報に対応して算出された前記先頭加熱部および前記最後尾加熱部のパルス幅に応じて前記先頭加熱部の前エッジ位置と前記最後尾の加熱部の後エッジ位置を変化させるパルス幅可変手段と、
検出されたアドレス情報に対応して算出された前記加熱部の記録パワーに応じて、前記レーザ光を出射するレーザ光源の出射光量を随時更新するドライバ回路と
を備えたことを特徴とする情報記録装置。
【請求項１１】
先頭加熱部と後続の中間加熱部と最後尾加熱部とからなる記録パルス発光波形のレーザにより情報が記録される記録層を有する光ディスク媒体上に記録を行う際に、記録線密度が略一定となるように記録線速度の変化に応じて記録クロック周期Ｔを変化させて記録を行う情報記録装置であって、
前記先頭加熱部のパルス幅の前記記録クロック周期Ｔに対する比Ｔtopと、前記最後尾加熱部のパルス幅の前記記録クロック周期Ｔに対する比Ｔendと、前記先頭加熱部および最後尾加熱部の記録パワーＰtopと中間加熱部の記録パワーＰrearを共に変化させるように、所望の記録線速度に応じて前記先頭加熱部の前エッジ位置と前記最後尾加熱部の後エッジ位置と前記加熱部の記録パワーの各設定値を所定の間隔で随時更新するとともに、検出されたアドレス情報に対応した前記先頭加熱部の前エッジ位置と前記最後尾加熱部の後エッジ位置と前記加熱部のそれぞれの記録パワーを算出するコントローラと、
少なくとも前記記録パルスにおける前記先頭加熱部の前エッジ位置および前記最後尾加熱部の後エッジ位置を変化させるための前エッジ信号および後エッジ信号を出力する多数段のエッジ信号生成回路と、
このエッジ信号生成回路から出力される多数段の前エッジ信号および後エッジ信号の中から、少なくとも検出されたアドレス情報に対応した前記先頭加熱部の前エッジ位置に相当する前エッジ信号および前記最後尾加熱部の後エッジ位置に相当する後エッジ信号を選択するセレクタと、
検出されたアドレス情報に対応した前記加熱部の記録パワーに応じて、前記レーザ光を出射するレーザ光源の出射光量を随時更新するドライバ回路と
を備えたことを特徴とする情報記録装置。
【請求項１２】
請求項１０または１１記載の情報記録装置を有することを特徴とする情報処理装置。
【請求項１３】
請求項１乃至９のいずれか１つに記載の情報記録方法で記録する為のパラメータが予めプリフォーマットされていることを特徴とする光ディスク媒体。
【手続補正３】
【補正対象書類名】明細書
【補正対象項目名】０００１
【補正方法】変更
【補正の内容】
【０００１】
【発明の属する技術分野】
本発明は映像用ＤＶＤ（Ｄigital Ｖideo 又はＶersatile Ｄisk ）やＤＶＤ−ＲＯＭなどの再生専用のＤＶＤ、フォーマットの互換性を有するＤＶＤ−Ｒ（Ｒecodable ）、ＤＶＤ−ＲＷ（ＲeＷritable）等の光ディスク媒体に対して情報を記録する情報記録方法、情報記録装置、この情報記録装置を用いた情報処理装置及び光ディスク媒体に関する。
【手続補正４】
【補正対象書類名】明細書
【補正対象項目名】００１７
【補正方法】変更
【補正の内容】
【００１７】
本発明は、光ディスク媒体を回転駆動しながら先頭加熱部と後続加熱部とからなる記録パルスを用いて情報を記録するとき、光ディスク媒体の回転速度を変速制御することなく、また、従来の再生専用メディアの記録フォーマットとの互換性を維持しながら、簡易な方法を用いて、光ディスク媒体全面に渡って均一な信号特性で記録を行うことが可能であり、複数の広範囲な記録速度で記録を行うことが可能であるとともに、いずれの記録速度であっても良好な信号特性で記録することが可能である情報記録方法、情報記録装置、情報処理装置及び光ディスク媒体を提供することを目的とする。
【手続補正５】
【補正対象書類名】明細書
【補正対象項目名】００２９
【補正方法】変更
【補正の内容】
【００２９】
請求項１２に係る発明は、請求項１０または１１記載の情報記録装置を有するものである。
請求項１３に係る発明は、請求項１乃至９のいずれか１つに記載の情報記録方法で記録する為のパラメータが予めプリフォーマットされていることを特徴とする光ディスク媒体である。